(57)【特許請求の範囲】
【請求項１】
台紙と、物品を収納可能な収納ケースと、を有し、前記収納ケースの背面壁を台紙に添わせ、且つ差し込み片を介して収納ケースが台紙に取り付けられている台紙付き収納ケースであって、
前記台紙には、その下方部に第１差し込み片が形成され且つその上方部に第２差し込み片が形成されており、
前記収納ケースには、その下方部に前記台紙の第１差し込み片を係入可能な第１差し込み口が形成され且つその上方部に前記台紙の第２差し込み片を係入可能な第２差し込み口が形成されており、
前記第１差し込み片が、前記第１差し込み口に係入され、
前記第２差し込み片が、前記収納ケースの背面壁に形成されたスリット部に挿入され且つ前記背面壁の内面に沿って上方に延在し、前記第２差し込み片の上端部が、前記収納ケースの背面壁に対して略直交する方向に折り曲げられて前記第２差し込み口に係入されていることを特徴とする台紙付き収納ケース。
【請求項２】
前記収納ケースが、背面壁及び正面壁を有する筒状体と、前記筒状体の下方開口部を閉塞する下面壁と、前記筒状体の上方開口部を閉塞する上面壁であって前記正面壁の上辺に折り曲げ可能に連設され且つ前記正面壁の連設部分と対向する側にフラップ片が形成された上面壁と、を有し、前記上面壁を正面壁の連設部分で折り曲げ且つ前記上面壁のフラップ片を背面壁の内面に沿って入れることにより、前記筒状体の上方開口部が上面壁で閉塞されており、
前記背面壁の内面に沿って入れられたフラップ片が、前記背面壁のスリット部よりも下方側に延在している請求項１に記載の台紙付き収納ケース。
【請求項３】
前記第２差し込み口が、前記上面壁に形成されている請求項２に記載の台紙付き収納ケース。
【発明の詳細な説明】
【技術分野】
【０００１】
本発明は、収納ケースが台紙に取り付けられた台紙付き収納ケースに関する。
【背景技術】
【０００２】
従来、各種の物品を収納する収納ケースは、様々な形態のものが知られている。
このうち、比較的安価に製造できることから、合成樹脂製シートや厚紙などのシート材を組み立てた収納ケースが多用されている。
また、該収納ケースを吊り下げて陳列する目的などのため、収納ケースが台紙に取り付けられた台紙付き収納ケースも知られている。
【０００３】
かかる台紙付き収納ケースとして、特許文献１には、後ろ側の側壁から上方へヘッダーが延設され、このヘッダーに吊下げ用孔が設けられた容器本体と、前記ヘッダーを挿通する横方向のスリットが設けられ且つこのスリットの上方に吊下げ用孔が設けられている台紙と、からなる台紙付き収納ケースが開示されている。
かかる特許文献１の台紙付き収納ケースは、容器本体のヘッダーを台紙のスリットに挿通し、且つ、台紙の下辺に形成された舌片を容器本体の底面フラップに差し込むことにより、容器本体が台紙に取り付けられる。
【０００４】
他方、特許文献２には、対向するフラップを有する容器と、該容器のフラップを挿通する一対のスリットが形成された台紙と、を有する台紙付き収納ケースが開示されている。
かかる特許文献２の台紙付き収納ケースは、台紙のスリットに容器のフラップを挿通し、前記フラップを台紙の裏面にて折り曲げ且つ粘着テープで固定することにより、容器が台紙に取り付けられる。
【０００５】
特許文献１及び２の台紙付き収納ケースは、容器本体又は容器を台紙から取り外すことにより、それ自体、物品を保管する保管ケースとして使用することも可能である。
【特許文献１】特開２００６−２６４７３８号公報
【特許文献２】特開２００５−１７５１号公報
【発明の開示】
【発明が解決しようとする課題】
【０００６】
しかしながら、特許文献１の台紙付き収納ケースは、容器本体にヘッダーが延設されているので、該容器本体を保管ケースとして利用する際、容器本体からヘッダーが突出して邪魔になるという問題がある。
さらに、特許文献１の台紙付き収納ケースは、ヘッダーをスリットに挿通することにより容器本体を台紙に取り付けているが、該容器本体が台紙から外れる虞がある。このため、ヘッダーの吊下げ用孔と台紙の吊下げ用孔が合致するように両孔を穿設し、２つの吊下げ用孔を棒状ハンガーに挿通して容器本体が台紙から外れないようにしている。この方法は、台紙付き収納ケースを棒状ハンガーに吊下げ陳列するときには有効であるが、輸送中に台紙付き収納ケースに振動などが加わったときに、容器本体が台紙から外れる虞がある。
【０００７】
他方、特許文献２の台紙付き収納ケースは、容器が台紙から外れないようにするために、容器のフラップを台紙の裏面にて粘着テープで固定しなければならず、簡単に取り付けることができない。また、容器を台紙から取り外す際に、粘着テープを剥がさなければならない上、粘着テープを剥がすときに容器のフラップが破損する虞がある。
【０００８】
本発明は、輸送及び吊下げ陳列などの際に収納ケースが台紙から外れ難く、しかも、収納ケースを台紙から取り外した後、収納ケースを物品の保管ケースとして利用できる台紙付き収納ケースを提供することを課題とする。
【課題を解決するための手段】
【０００９】
本発明の台紙付き収納ケースは、台紙と、物品を収納可能な収納ケースと、を有し、前記収納ケースの背面壁を台紙に添わせ、且つ差し込み片を介して収納ケースが台紙に取り付けられている台紙付き収納ケースであって、前記台紙には、その下方部に第１差し込み片が形成され且つその上方部に第２差し込み片が形成されており、前記収納ケースには、その下方部に前記台紙の第１差し込み片を係入可能な第１差し込み口が形成され且つその上方部に前記台紙の第２差し込み片を係入可能な第２差し込み口が形成されており、前記第１差し込み片が、前記第１差し込み口に係入され、前記第２差し込み片が、前記収納ケースの背面壁に形成されたスリット部に挿入され且つ前記背面壁の内面に沿って上方に延在し、前記第２差し込み片の上端部が、前記収納ケースの背面壁に対して略直交する方向に折り曲げられて前記第２差し込み口に係入されていることを特徴とする。
【００１０】
上記本発明の台紙付き収納ケースは、収納ケースを取り付けるための第１及び第２差し込み片が台紙に形成されているので、収納ケースには、差し込み片のような突出した邪魔になる部分を有しない。このため、台紙から取り外した収納ケースを、物品の良好な保管ケースとして利用することができる。
さらに、台紙の下方部に形成された第１差し込み片が、第１差し込み口に係入されているので、該第１差し込み片によって収納ケースの下方が支持される。一方、台紙の上方部に形成された第２差し込み片が、背面壁のスリット部に挿入され且つ背面壁の内面に沿って上方に延在しているので、収納ケースが前方へ傾倒することを防止できる。さらに、第２差し込み片の上端部が、背面壁に対して略直交する方向に折り曲げられて第２差し込み口に係入されているので、スリット部から背面壁の内面に挿入された第２差し込み片が、スリット部から抜け出る虞がない上、第２差し込み片によって収納ケースの上方が支持される。
従って、台紙に取り付けられた収納ケースが、第１及び第２差し込み片によって、台紙に対して上下方向に位置ズレせず且つ前方へ殆ど傾倒しないので、本発明の台紙付き収納ケースは、輸送及び吊下げ陳列などの際に収納ケースが台紙から外れ難くなる。
【００１１】
本発明の好ましい台紙付き収納ケースは、前記収納ケースが、背面壁及び正面壁を有する筒状体と、前記筒状体の下方開口部を閉塞する下面壁と、前記筒状体の上方開口部を閉塞する上面壁であって前記正面壁の上辺に折り曲げ可能に連設され且つ前記正面壁の連設部分と対向する側にフラップ片が形成された上面壁と、を有し、前記上面壁を正面壁の連設部分で折り曲げ且つ前記上面壁のフラップ片を背面壁の内面に沿って入れることにより、前記筒状体の上方開口部が上面壁で閉塞されており、前記背面壁の内面に沿って入れられたフラップ片が、前記背面壁のスリット部よりも下方側に延在している。
【００１２】
上記好ましい台紙付き収納ケースは、収納ケースが、筒状体と該筒状体の上方開口部を閉塞する上面壁とを有し、上面壁を折り曲げ且つ上面壁のフラップ片を背面壁の内面に沿って入れることにより、筒状体の上方開口部が上面壁で閉塞されている。この背面壁の内面に沿って入れられた上面壁のフラップ片が、背面壁のスリット部よりも下方側にまで延在しているので、上記第１差し込み片をスリット部に挿入したときに、第１差し込み片が、フラップ片の外面に当たる。このため、スリット部に挿入した第１差し込み片を、フラップ片の外面と背面壁の内面の間に容易に導き、第１差し込み片を背面壁の内面に沿って簡便に上方に延在させることができる。
【００１３】
本発明の他の好ましい台紙付き収納ケースは、前記第２差し込み口が、前記上面壁に形成されている。
【００１４】
上記他の好ましい台紙付き収納ケースは、第２差し込み口が上面壁に形成されているので、該上面壁の第２差し込み口に台紙の第２差し込み片が係入される。このため、正面壁に折り曲げ可能に連設された上面壁が、第２差し込み片によって固定され、筒状体の上方開口部が不用意に開口することを防止できる。従って、輸送中に筒状体の上方開口部が開口して物品が出ることを防止できる他、悪戯目的による物品の改ざん等をも防止できる。
【発明の効果】
【００１５】
本発明に係る台紙付き収納ケースは、台紙に差し込み片が形成されているので、台紙から取り外した収納ケースには邪魔になる部分がなく、よって、収納ケースを物品の良好な保管ケースとして利用できる。
さらに、本発明の台紙付き収納ケースは、輸送及び吊下げ陳列などの際に収納ケースが台紙から外れ難いので、収納ケースの落下・脱落を防止できる。
【発明を実施するための最良の形態】
【００１６】
以下、本発明の好ましい一実施形態について、図面を参照しつつ具体的に説明する。なお、各図において、折り罫線を一点鎖線で示す場合がある。
図１〜図３に於いて、１は、台紙２と、該台紙２に着脱可能に取り付けられた収納ケース３と、を有する台紙付き収納ケースを示す。
台紙２は、収納ケース３の背面壁３１よりも大面積に形成されている。収納ケース３は、内部に物品１０を収納可能な中空部を有し、後述するように、シート材を組み立てて形成されている。
該収納ケース３は、その背面壁３１を台紙２の表面に添わせた状態で、台紙２に形成された第１及び第２差し込み片４１，４２を介して台紙２に取り付けられている。
【００１７】
具体的には、台紙２は、図４にも示すように、平板状であり、収納ケース３の背面壁３１の面積の１．２倍以上、好ましくは１．５倍以上の大きさに形成されている。
台紙２の材質は、特に限定されず、例えば、厚み０．８ｍｍ〜１．５ｍｍ程度の厚紙、厚み０．５ｍｍ〜１ｍｍ程度の合成樹脂製シートなどを用いることができる。
台紙２の形状は、特に限定されないが、通常、正面視矩形状に形成される。
【００１８】
台紙２の下辺には、舌状の第１差し込み片４１が延設されている。該第１差し込み片４１の基部には、台紙２の下辺上に沿って折り罫線９１が形成されている。第１差し込み片４１は、前記折り罫線９１において、台紙２の表面に対して略直交するように折り曲げ可能である。
また、台紙２の面内であって前記第１差し込み片４１が形成された部分よりも上方部には、帯状の第２差し込み片４２が形成されている。この第２差し込み片４２は、台紙２の厚み方向に貫通する正面視略逆Ｕ字状の切込み線２１で区画された領域からなる。この逆Ｕ字状の切込み線２１で区画された領域を押し出すことにより、第２差し込み片４２を台紙２の表面から突出させることができる。つまり、第２差し込み片４２は、その基部（下方部）において台紙２に連設されており、該基部において第２差し込み片４２は、折り曲げ可能となっている。
さらに、第２差し込み片４２の上方部には、台紙２の下辺（折り罫線９１の形成方向）と略平行な折り罫線９２が形成されている。該折り罫線９２から第２差し込み片４２の上縁までの領域が、第２差し込み片４２の上端部４２ａである。この第２差し込み片４２の上端部４２ａは、折り罫線９２において、台紙２の表面に対して略直交するように折り曲げ可能である。
なお、台紙２の面内であって前記第２差し込み片４２が形成された部分よりも上方部には、吊下げ用孔２２が穿設されている。なお、本発明の台紙付き収納ケース１は、台紙２に前記吊下げ用孔２２が形成されていないものでもよい。
【００１９】
上記収納ケース３は、可撓性のあるシート材を組み立てることによって形成されている。
該シート材としては、ポリプロピレン、ポリエチレンなどのポリオレフィン系、ポリエチレンテレフタレートなどのポリエステル系、ポリスチレン系、ポリアミド系などの各種合成樹脂製シート、紙、合成紙などの各種シートを用いることができる。また、シート材は、同種又は異種の積層シートでもよい。中でも、収納した物品１０を外部から視認できることから、透明（無色透明又は有色透明）なシート材を用いることが好ましい。
シート材の厚みは、特に限定されないが、例えば、合成樹脂製シートの場合には、０．２ｍｍ〜１．０ｍｍ程度が例示される。
中でも、適度な剛性と柔軟性を有することから、厚み０．２ｍｍ〜０．６ｍｍ程度の透明なポリプロピレン製シートを用いることが好ましい。
【００２０】
収納ケース３は、筒状体３９と、筒状体３９の下方開口部を閉塞する下面壁３４と、前記筒状体３９の上方開口部を閉塞する上面壁３５と、を有する箱体からなる。
筒状体３９は、背面壁３１と、背面壁３１に対向配置された正面壁３２と、背面壁３１及び正面壁３２の側方に設けられた両側面壁３３，３３と、を有する。背面壁３１及び正面壁３２は、矩形状に形成されており、両側面壁３３，３３は、中央部で鈍角に折れた矩形状に形成されている。従って、筒状体３９は、中空状の六角柱状に形成されている。
下面壁３４は、背面壁３１の下辺及び正面壁３２の下辺に連設され、筒状体３９の下方開口部を閉塞している。
【００２１】
上面壁３５は、折り罫線９３を介して、正面壁３２の上辺に折り曲げ可能に連設されている。上面壁３５の、正面壁３２の連設部分（換言すると境界部分）と対向する側には、フラップ片３６が形成されている。フラップ片３６は、折り罫線９４を介して、上面壁３５に折り曲げ可能に連設されている。
上面壁３５を折り罫線９３において筒状体３９の上方開口部側へと折り曲げ、且つ上面壁３５のフラップ片３６を折り罫線９４において折り曲げて背面壁３１の内面に沿って差し入れることにより、筒状体３９の上方開口部が上面壁３５で閉塞される。また、閉塞状態の上面壁３５を引き上げることにより、筒状体３９の上方開口部を開口できる。
【００２２】
上面壁３５とフラップ片３６の連設部分には、第２差し込み片４２の上端部４２ａを係入可能な第２差し込み口５２が形成されている。該第２差し込み口５２は、上面壁３５とフラップ片３６の連設部分に切込み線を刻設することによって形成されている。
【００２３】
また、背面壁３１と下面壁３４の連設部分には、台紙２の第１差し込み片４１を係入可能な第１差し込み口５１が形成されている。該第１差し込み口５１は、背面壁３１と下面壁３４の連設部分（背面壁３１の下辺）に切込み線を刻設することによって形成されている。
さらに、背面壁３１の面内であって前記第１差し込み口５１が形成された部分よりも上方部には、台紙２の第２差し込み片４２を挿入可能なスリット部６が形成されている。該スリット部６は、背面壁３１の面内に、背面壁３１の下辺と略平行な切込み線を刻設することによって形成されている。
なお、上記フラップ片３６の上下長さは、背面壁３１の上縁からスリット部６までの長さよりも長く形成されていることが好ましい。この好ましい形態の場合、図２及び図３に示すように、フラップ片３６を背面壁３１の内面に沿って筒状体３９内へ入れると、フラップ片３６が、背面壁３１のスリット部６を越えてその下方側にまで延在することとなる。
【００２４】
また、背面壁３１の上縁には、下方に切り欠かれた切り欠き部７が形成されている。この切り欠き部７は、前記スリット部６の上方に位置し、切り欠き部７の幅は、第２差し込み片４２の幅よりも若干大きく形成されている。
【００２５】
ここで、上記各折り罫線は、台紙又はシート材を折り曲げ易く型付けできるように形成された線であれば特に限定されず、例えば、台紙又はシート材を厚み方向に略Ｖ字状に切り込んだハーフカット線、台紙又はシート材を貫通する短い孔が断続的に形成されたミシン目線などを用いることができる。
【００２６】
なお、図５に、上記収納ケース３を構成する展開シート１１を示す。図５に付した符号のうち、上記収納ケース３の各構成要素に対応する部分については、収納ケース３と同じ符号を付し、その具体的な説明は省略する。また、全ての折り罫線を一点鎖線で表している。
【００２７】
この展開シート１１は、１枚のシート材を打ち抜いて形成されている。
この展開シート１１は、収納ケース３の背面壁３１、正面壁３２、左右の側面壁３３，３３、下面壁３４、上面壁３５及びフラップ片３６に対応する面領域が適宜連なって形成されている。この展開シート１１においては、側面壁３３が正面壁３２の両側部に連設されており、糊代片３７が背面壁３１の両側部に連設されている。
展開シート１１を各折り罫線で折り曲げ、左右の側面壁３３の側部に糊代片３７を接着することにより、下方開口部が下面壁３４で閉塞された筒状体３９が形成される。次に、上面壁３４を折り曲げ、フラップ片３６を筒状体３９の背面壁３１の内面側へ入れることにより、上記収納ケース３が形成される。
【００２８】
上記台紙付き収納ケース１は、上記台紙２に収納ケース３を取り付けることによって形成されている。
具体的には、台紙２の第１差し込み片４１を折り曲げ、第１差し込み片４１を収納ケース３の第１差し込み口５１に係入する。次に、台紙２の第２差し込み片４２を台紙２から押し出し、台紙２を湾曲させながら、該第２差し込み片４２の上端部４２ａを収納ケース３のスリット部６の下方側から該スリット部６に挿入する。このとき、背面壁３１の内面側においては、フラップ片３６がスリット部６を塞ぐように延在しているので、スリット部６に挿入した第２差し込み片４２の上端部４２ａがフラップ片３６の外面に当たり、第２差し込み片４２の上端部４２ａが、フラップ片３６の外面と背面壁３１の内面の間に導かれる。続いて、第２差し込み片４２をスリット部６に更に挿入すると、第２差し込み片４２の上端部４２ａが背面壁３１の切り欠き部７へ至り、該上端部４２ａが背面壁３１の外面側へ露出する。最後に、第２差し込み片４２の上端部４２ａを折り罫線９２において折り曲げ、該上端部４２ａを収納ケース３の第２差し込み口５２に係入する。
【００２９】
このようにして形成された台紙付き収納ケース１は、収納ケース３の背面壁３１が台紙２の表面に添い、台紙２の第１差し込み片４１が、収納ケース１の背面壁３１に対して略直交する方向に折り曲げられて第１差し込み口５１に係入されており、スリット部６から挿入された第２差し込み片４２が、背面壁３１の内面に沿って上方に延在した後、背面壁３１の外面側に出され、第２差し込み片４２の上端部４２ａが、収納ケース３の背面壁３１に対して略直交する方向に折り曲げられて第２差し込み口５２に係入されている。
【００３０】
本発明の台紙付き収納ケース１は、例えば、図６に示すように、台紙２の吊下げ用孔２２を棒状ハンガーＡに挿通することにより、吊下げ陳列できる。
本発明の台紙付き収納ケース１は、台紙２の第１差し込み片４１が、背面壁３１に対して略直交する方向に折り曲げられて第１差し込み口５１に係入されているので、収納ケース３の下方が支持されている。
また、台紙２の第２差し込み片４２が、背面壁３１のスリット部６に挿入され且つ背面壁の内面に沿って上方に延びている。このため、該第２差し込み片４２に背面壁３１の一部分３１ａ（図２及び図３に示す、幅方向に延びる帯状部分３１ａ）が掛止されている。このため、収納ケース３が前方へ傾倒することを防止できる。さらに、第２差し込み片４２の上端部４２ａが、背面壁３１に対して略直交する方向に折り曲げられて第２差し込み口５２に係入されているので、第２差し込み片４２が、スリット部６から抜け出る虞がない上、収納ケース３の上方が支持される。
従って、本発明の台紙付き収納ケース１は、陳列時に、収納ケース３が台紙２に対して上下方向に位置ズレせず且つ前方へ殆ど傾倒しないので、収納ケース３が台紙２から外れて落下することを防止できる。なお、台紙付き収納ケース１を輸送しているときにも、収納ケース３が台紙２から脱落し難いものである。
【００３１】
また、上面壁３５に第２差し込み口５２が形成され、且つ該第２差し込み口５２に台紙２の第２差し込み片４２の上端部４２ａが係入されているので、筒状体３９の上方開口部を閉塞した状態の上面壁３５が不用意に開く虞がない。従って、輸送中に筒状体３９の上方開口部が開口して物品１０が出ることを防止できる他、悪戯目的による物品１０の改ざん等をも防止できる。
【００３２】
上記台紙付き収納ケース１は、第１及び第２差し込み片４１，４２を第１及び第２差し込み口５１，５２から引き抜くことにより、収納ケース３を台紙２から取り外すことができる。
収納ケース３は、差し込み片のような突出した部分を有しない、取り外したままの状態の収納ケース３を、物品の良好な保管ケースとして利用することができる。
【００３３】
なお、本発明は、台紙２に設けられた第１差し込み片４１と第２差し込み片４２によって収納ケース３を係止することを特徴としており、この特徴部分以外の構成は、本発明の意図する範囲で適宜設計変更できる。
例えば、上記実施形態において、筒状体３９は、中空の六角柱状に形成されているが、この形状に限られず、筒状体３９は、中空の直方体状（四角柱状を含む）、中空の三角柱状などに形成されていてもよい。
また、上記実施形態において、筒状体３９の上方開口部を閉塞する上面壁３５は、正面壁３２に連設されているが、該上面壁３５が、背面壁３１または側面壁３３に折り曲げ可能に連設されていてもよい。
【図面の簡単な説明】
【００３４】
【図１】本発明の１つの実施形態に係る台紙付き収納ケースの側面図。
【図２】図１のＩ−Ｉ線断面図。
【図３】同台紙対収納ケースにおいて、台紙と収納ケースを分離した状態を示す斜視図。
【図４】台紙の正面図。
【図５】収納ケースを構成する展開シートの平面図。
【図６】同台紙付き収納ケースの使用状態を示す側面図。
【符号の説明】
【００３５】
１…台紙付き収納ケース、２…台紙、３…収納ケース、３１…背面壁、３２…正面壁、３３…側面壁、３４…下面壁、３５…上面壁、３６…フラップ片、３６…筒状体、４１…第１差し込み片、４２…第２差し込み片、４２ａ…第２差し込み片の上端部、５１…第１差し込み口、５２…第２差し込み口、６…スリット部、７…切り欠き部、９１、９２，９３，９４…折り罫線、１０…物品
【図１】
0005079532.tif 000002
【図２】
0005079532.tif 000003
【図３】
0005079532.tif 000004
【図４】
0005079532.tif 000005
【図５】
0005079532.tif 000006
【図６】
0005079532.tif 000007